(57)【要約】【課題】冷媒の寝込みが起きないようにしながら集中冷却運転モードが得られるようにする。【解決手段】通常運転モードから集中冷却運転モードに入った時に、外気温が設定温度以下となってもファン回転保持手段４１が働くことで送風ファン２７、２９を優先してオン状態に保持し圧縮機１７又は凝縮器１９の十分な放熱能力を確保する。【選択図】図１
2009222330.tif 000002
【特許請求の範囲】
【請求項１】
圧縮機から吐出された冷媒が凝縮器、絞り装置、蒸発器を通り、再び圧縮機に戻る通常運転モードの冷凍サイクルと、
前記圧縮機が通常運転モード時の回転数より高い回転数で運転される集中冷却運転モードの冷凍サイクルと、
外気温が設定温度以下になった時にオフとなり、前記圧縮機又は凝縮器への送風を停止するオン・オフ可能な送風ファンと、
前記通常運転モードから集中冷却運転モードに入った時に、外気温が設定温度以下となっても優先して送風ファンをオン状態に保持するファン回転保持手段とを備えていることを特徴とする冷凍冷蔵庫。
【請求項２】
前記ファン回転保持手段は、外気温が設定温度以下となっても集中冷却運転モード時の目標設定温度値までは送風ファンのオン状態を保持し続けることを特徴とする請求項１記載の冷凍冷蔵庫。
【請求項３】
前記冷媒にＲ２９０（プロパン）を使用することを特徴とする請求項１又は２記載の冷凍冷蔵庫。
【発明の詳細な説明】
【技術分野】
【０００１】
本発明は、Ｒ２９０（プロパン）の冷媒を用いたものに適する冷凍冷蔵庫に関する。
【背景技術】
【０００２】
一般に冷凍冷蔵庫の庫内冷却にあたって、圧縮機から吐出された冷媒が凝縮器、絞り装置、蒸発器を通り、再び圧縮機に戻る冷凍サイクルを構成する。この冷凍サイクル運転中は冷却ファンを回転させることで圧縮機や凝縮器の放熱を行っている。冷却ファンによる放熱は、冷媒の凝縮温度を下げて冷却能力の向上を図ると共に、圧縮機モータの巻線温度上昇にともなう損失の低減を図る。
【０００３】
冷媒には地球環境の問題から自然冷媒となるＲ２９０（プロパン）が用いられている。
【０００４】
Ｒ２９０の冷媒は、高い冷凍能力を備えるところから通常運転モードからさらに庫内温度を一段と低くする集中冷却運転モードの運転が可能となる。
【特許文献１】特開２００５−１６８７２号公報
【発明の開示】
【発明が解決しようとする課題】
【０００５】
冷却ファンによる放熱は、圧縮機温度、凝縮温度を設定範囲内に収め、温度上昇にともなう悪影響を回避する上で必要であるが、反面、外気温が低い場合には、例えば、圧縮機の温度を過剰に下げる作用として働く。
【０００６】
圧縮機の温度が必要以上に下がると、冷凍機油中に溶け込む冷媒量が多くなるいわゆる冷媒の寝込み現象が発生する。
【０００７】
冷媒の寝込みは、循環する冷媒量が少なくなることを意味し冷却性能の低下につながるために、外気温が低くなると送風ファンを停止し、過剰な冷却が起きないようになっている。
【０００８】
送風ファンの停止は、過剰な冷却を防ぐ意味で重要であるが、外気温が下がると一律に送風ファンの停止を行なう手段であると、例えば、Ｒ２９０の冷媒を用いてさらに一段低い冷凍温度帯を得る集中冷却運転モードに入った時に、外気温が低いという条件だけで送風ファンが止まってしまうために放熱能力が足らなくなり、目標とする庫内温度が得られなくなる問題が起きる。
【０００９】
そこで、本発明にあっては外気温に左右されることなく通常温度帯よりさらに一段低い冷凍温度帯を得る集中冷却運転モードが行なえるようにした冷凍冷蔵庫を提供する。
【課題を解決するための手段】
【００１０】
前記目的を達成するために、本発明にあっては、圧縮機から吐出された冷媒が凝縮器、絞り装置、蒸発器を通り、再び圧縮機に戻る通常運転モードの冷凍サイクルと、
前記圧縮機が通常運転モード時の回転数より高い回転数で運転される集中冷却運転モードの冷凍サイクルと、
外気温が設定温度以下になった時にオフとなり、前記圧縮機又は凝縮器への送風を停止するオン・オフ可能な送風ファンと、
前記通常運転モードから集中冷却運転モードに入った時に、外気温が設定温度以下となっても優先して送風ファンをオン状態に保持するファン回転保持手段とを備えていることを特徴とする。
【００１１】
前記冷媒にはＲ２９０（プロパン）を用いることが望ましい。
【発明の効果】
【００１２】
本発明によれば、通常運転モードから集中冷却運転モードに入った時に低い外気温であっても、ファン回転保持手段が働き、送風ファンをオン状態に保持できる。この結果、冷却に必要な放熱能力を確保できるようになり、目標とするマイナスの庫内温度を確実に得ることができる。
【００１３】
この集中冷却運転モード時において、圧縮機の回転数は通常運転モード時の回転数より高い回転で運転されるため回転数による発熱と冷媒温度が高くなるＲ２９０の物性値特性と相俟って冷媒の寝込みは起こらず安定した冷凍サイクル運転が行なえるようになる。
【発明を実施するための最良の形態】
【００１４】
本発明を実施するにあたって、前記ファン回転保持手段は、外気温が設定温度以下となっても集中冷却運転モード時の目標設定温度値までは送風ファンのオン状態を保持し続けるようにすることで目標設定値まで放熱能力を確保できるようにすることが望ましい。
【実施例】
【００１５】
以下、図１と図２の図面を参照しながら本発明の実施形態について具体的に説明する。
【００１６】
図１は本発明にかかる冷凍サイクル図。図２は本発明にかかる冷凍冷蔵庫の概要正面図をそれぞれ示している。
【００１７】
冷蔵庫本体１は、冷蔵室３、野菜室５の外に、第１、第２、第３の複数の冷凍室７、９、１１を有している。第１の冷凍室７は、例えば、製氷室として、第２の冷凍室９は切替室として、第３の冷凍室１１は一般冷凍室としてそれぞれ使用可能である。
【００１８】
冷蔵室３と野菜室５は図２に示す如く第１蒸発器１３で熱交換された冷気が冷気循環用のファン（図示していない）によって循環することで庫内冷却が行なわれる。
【００１９】
第１、第２、第３の冷凍室７、９、１１は、第２蒸発器１５で熱交換された冷気が、冷気循環用のファン（図示していない）によって循環することで庫内冷却が行なわれる。
【００２０】
第１、第２蒸発器１３、１５は、圧縮機１７を始めとして凝縮器１９、絞り装置となる第１、第２キャピラリチューブ２１、２３と連結し、通常運転サイクル時は圧縮機１７から吐出された冷媒が凝縮器１９、３方弁２５を介して第１、第２キャピラリチューブ２１、２３、第１、第２蒸発器１３、１５を通り、再び圧縮機１７に戻る冷凍サイクルを構成する。
【００２１】
冷媒には地球環境に優しく高い冷凍能力を備えたＲ２９０（プロパン）が用いられている。
【００２２】
圧縮機１７及び凝縮器１９は、圧縮機用の送風ファン２７及び凝縮器用の送風ファン２９をそれぞれ有し、各送風ファン２７、２９の回転によって放熱が確保され、必要以上の圧縮機１７の温度上昇及び凝縮器１９の凝縮温度が抑えられる。
【００２３】
圧縮機１７は、制御部３１からの信号に基づいて通常運転モード時から、その通常運転モード時より回転数が高くなる集中冷却運転モード時の回転数まで制御可能となっている。
【００２４】
制御部３１は、ファン回転保持手段となる判断部４１の外に外気温センサ３３と第１の庫内温度センサ３５及び第２の庫内温度センサ３７からの温度情報と集中冷却運転モード用の操作スイッチ３９からのスイッチ信号がそれぞれ入力される。
【００２５】
第１の庫内温度センサ３５は冷蔵室３、野菜室５用となっている。第２の庫内温度センサ３７は第１、第２、第３の冷凍室７、９、１１用となっていて、制御部３１に入力される各信号に基づき、前記圧縮機１７の回転数の制御と、圧縮機用の送風ファン２７及び凝縮器用の送風ファン２９のオン・オフ制御が可能となる。
【００２６】
具体的には、例えば、通常運転モード時にある時制御部３１は、第１の庫内温度センサ３５からの温度情報及び外気温センサ３３からの温度情報により補正を加えた目標温度との差により圧縮機１７の回転数の制御を行なう。
【００２７】
同時に、温度情報によって外気温が設定温度以上にあると判断されると各送風ファン２７、２９をオンの作動状態とする。これにより、冷蔵温度帯及び冷凍温度帯の確保が可能となる。
【００２８】
一方、温度情報によって外気温が設定温度以下にあると判断されると過剰な冷却が起きないように各送風ファン２７、２９をオフの作動停止状態とする。
【００２９】
次に、操作スイッチ３９の入力信号によって集中冷却運転モードに入ると制御部３１は、第２の庫内温度センサ３７からの温度情報が目標設定値となるまで前記圧縮機１７の回転数を高い状態に保持する。同時に温度情報によって外気温度が設定値以上にあると判断されると各送風ファン２７、２９をオンの作動状態に確保する。
【００３０】
一方、外気温が設定値以下となる温度情報が入力されると制御部３１内のファン回転保持手段となる判断部４１によって 外気温に優先して目標庫内温度となるまで各送風ファン２７、２９をオンの作動状態に保持することが可能となっている。
【００３１】
このように構成された冷凍冷蔵庫によれば、通常運転モードから集中冷却運転モードに入った時に、低い外気温であってもファン回転保持手段となる判断部４１が働き、各送風ファン２７、２９をオンの作動状態とする。この結果、冷却に必要な放熱能力が確保され、一段と低いマイナスの庫内温度が確実に得られるようになる。
【００３２】
一方、集中冷却運転モード時において、圧縮機１７の回転数は通常運転モード時の回転数より高い回転数で運転されるため、回転数による発熱と冷媒温度が高くなるＲ２９０の物性値特性と相俟って冷媒の寝込みは起こらず、安定した冷凍サイクル運転が行なえるようになる。
【００３３】
なお、本実施形態にあっては、集中冷却運転モード時の対応庫内を第１、第２、第３の冷凍室７、９、１１として説明したが、必ずしも三つでなくてもよく、１つあるいは二つの組合せであってもよい。
【図面の簡単な説明】
【００３４】
【図１】本発明にかかる冷凍サイクル図。
【図２】本発明にかかる冷凍冷蔵庫の概要正面図。
【符号の説明】
【００３５】
３    冷蔵室
５    野菜室
７    第１の冷凍室
９    第２の冷凍室
１１    第３の冷凍室
１３    第１の蒸発器
１５    第２の蒸発器
１７    圧縮機
１９    凝縮器
２７    圧縮機用の送風ファン
２９    凝縮器用の送風ファン
３１    制御部
４１    ファン回転保持手段（判断部）
【図１】
2009222330.tif 000003
【図２】
2009222330.tif 000004